(57)【特許請求の範囲】
【請求項１】
電熱線が巻回されるマンドレルと、該マンドレルの外周を包囲して溶融樹脂が射出されるキャビティを形成する分割可能な外金型と、前記電熱線の端部に固定した端子ピンが装着されるブロック型とを有する電気融着継手の成形金型であって、前記マンドレルに、前記ブロック型に設けた位置決め突起が係合する位置決め溝を設け、該位置決め溝内に、ブロック型の位置決め突起から突出したロックピンが嵌合する嵌合孔を備えた嵌合部材をマンドレル軸線方向に移動可能に収納するとともに、該嵌合部材を所定位置に保持するスプリングを設けたことを特徴とする電気融着継手の成形金型。
【発明の詳細な説明】
【０００１】
【発明の属する技術分野】
本発明は、継手内周面に電熱線を埋設した電気融着継手の成形金型に関し、詳しくは、継手成型時に、電熱線の端部に固定した端子ピンのセッティングが簡単に行えるとともに、成型後の製品の取出しも容易に行うことができる電気融着継手の成形金型に関する。
【０００２】
【従来の技術】
従来から、ガス管や給水・給湯配管等の合成樹脂管の接続には、電気融着継手が多く用いられている。この電気融着継手は、継手の内周面に電熱線を埋設し、該電熱線の両端部に端子ピンを接続するとともに、該端子ピンを継手の外面に突設したプラグの内側に垂設したものである。
【０００３】
このような電気融着継手は、継手内周面を形成するマンドレルの外周面に、絶縁樹脂で被覆した電熱線を巻回して該電熱線の両端部に端子ピンを固定し、該端子ピンを端子保持型に装着した状態で、半割状の外金型の一方にマンドレルをセットするとともに前記端子保持型を外金型に設けた係止孔に嵌着した後、外金型を型閉めしてマンドレルと外金型との間に形成されるキャビティに溶融樹脂を射出することにより継手を成形し、溶融樹脂が硬化してから外金型を開き、端子保持型やマンドレルを成形品から取外すことによって製造されている。
【０００４】
【発明が解決しようとする課題】
しかし、従来の成形金型では、外金型を型閉めする際に端子ピンを装着した端子保持型を外金型の係止孔に嵌着しなければならず、この作業が非常に面倒で、厄介であった。特に、小口径サイズの継手を射出成形する場合には、外金型の内径が小さくなるため、端子保持型を外金型の係止孔に簡単には嵌着できず、成形サイクルが長くなることによって生産性が著しく低下するという問題があった。
【０００５】
そこで本発明は、端子ピンのセッティングが簡単に行えるとともに、成形金型を分解して成形品を取出す作業も簡単に行うことができ、これによって成形サイクルを短縮して生産性を高めることができる電気融着継手の成形金型を提供することを目的としている。
【０００６】
【課題を解決するための手段】
上記目的を達成するため、本発明の電気融着継手の成形金型は、電熱線が巻回されるマンドレルと、該マンドレルの外周を包囲して溶融樹脂が射出されるキャビティを形成する分割可能な外金型と、前記電熱線の端部に固定した端子ピンが装着されるブロック型とを有する電気融着継手の成形金型であって、前記マンドレルに、前記ブロック型に設けた位置決め突起が係合する位置決め溝を設け、該位置決め溝内に、ブロック型の位置決め突起から突出したロックピンが嵌合する嵌合孔を備えた嵌合部材をマンドレル軸線方向に移動可能に収納するとともに、該嵌合部材を所定位置に保持するスプリングを設けたことを特徴としている。
【０００７】
【発明の実施の形態】
図は本発明の電気融着継手の成形金型の一形態例を示すもので、図１は外金型にマンドレル及びブロック型をセットした状態を示す断面正面図、図２は同じく要部の拡大断面正面図、図３は同じく要部の拡大断面側面図である。
【０００８】
この電気融着継手の成形金型は、マンドレル１０と、該マンドレル１０の外周に配置される外金型２０と、マンドレル１０と外金型２０との所定位置にセットされるブロック型３０とを有している。マンドレル１０は、継手の内周面を形成するものであって、分割可能な半割状の外金型２０内にセットして外金型２０を型閉めしたときに、マンドレル１０と外金型２０との間に、溶融樹脂Ｐが射出されるキャビティ２１が形成される。また、外金型２０の合わせ面には、ブロック型３０を保持するための窪み２２が設けられている。
【０００９】
マンドレル１０の外周面所定位置には電熱線１１が巻回され、該電熱線１１の両端部には端子ピン１２がそれぞれ固定されている。また、マンドレル１０の端部には、前記ブロック型３０の位置決めを行うための位置決め溝１３が設けられており、この位置決め溝１３内に、ブロック型３０を保持するための嵌合部材１４が押さえ板１５で保持された状態で、マンドレル１０の軸線方向に移動可能に収納されている。さらに、嵌合部材１４と、位置決め溝１３の側壁との間には、嵌合部材１４を所定の位置に保持するためのスプリング１６が設けられている。
【００１０】
前記ブロック型３０は、前記端子ピン１２を装着した端子保持型３１を支持する支持孔３２を有するとともに、マンドレル１０の方向に突出して先端が前記位置決め溝１３に係合する位置決め突起３３と、該位置決め突起３３の先端面から突出して前記嵌合部材１４の嵌合孔１７に嵌合するロックピン３４とを有している。ロックピン３４は、図２に示すように、外筒３５と、外筒３５内に摺動可能に挿通されたピン３６と、ピン３６をブロック型３０の外面から突出する方向に付勢するスプリング３７と、外筒３５の先端部周壁から出没可能なボール３８とからなるもので、ピン３６の先端部には、ボール３８を収納する凹部３９が設けられている。
【００１１】
すなわち、ブロック型３０の外面から突出したピン３６の外端を押してピン３６を外筒３５内に押し込んだときに、ボール３８が凹部３９に収容されて外筒３５の外周から後退可能な状態となり、ボール３８部分の外筒３５が嵌合部材１４の嵌合孔１７を通過可能な状態となる。一方、ピン３６がスプリング３７の作用でブロック型３０の外面から突出する方向に移動すると、ボール３８が凹部３９から押し出されて外筒３５の外周に突出した状態に保持され、ボール３８の突出部分が嵌合孔１７の周壁に係合して抜止め状態となる。したがって、ロックピン３４は、ピン３６を押し込むことにより、嵌合部材１４との嵌合状態を解除できるように形成されている。
【００１２】
このように形成した成形金型により電気融着継手を成形する手順は、次の通りである。まず、マンドレル１０の外周面所定位置に電熱線１１を螺旋状に巻回した後、該電熱線１１の両端部の絶縁樹脂を剥離して端子ピン１２を接続固定する。そして、端子ピン１２を端子保持型３１に装着し、該端子保持型３１をブロック型３０の支持孔３２に挿入するとともに、ブロック型３０をマンドレル１０に固定する。
【００１３】
ブロック型３０のマンドレル１０への固定は、ブロック型３０の外面から突出しているピン３６を押し込みながら、位置決め突起３３を位置決め溝１３に係合させるとともに、ロックピン３４の先端部を嵌合部材１４の嵌合孔１７に嵌入させる。このとき、嵌合部材１４は、スプリング１６の作用によって所定の位置に保持されているため、ピン３６を押し込んでボール３８を凹部３９に収容可能な状態にすることにより、ロックピン３４の先端部を、嵌合孔１７に容易に嵌入させることができる。そして、ピン３６の押し込み力を解除すると、ピン３６がスプリング３７の作用で突出方向に移動するので、ボール３８が凹部３９から押し出されて外筒３５の外周に突出し、ピン３６の先端部周面によって突出状態、すなわち嵌合部材１４との嵌合状態に保持される。また、嵌合部材１４は、スプリング１６によって所定位置に保持されているため、嵌合部材１４とロックピン３４とを嵌合させることにより、ブロック型３０をマンドレル１０の所定位置に固定することができる。このようにしてマンドレル１０にブロック型３０を固定した後、マンドレル１０及びブロック型３０を半割状の一方の外金型２０にセットして外金型２０を型閉めする。
【００１４】
次に、前記キャビティ２１に溶融樹脂Ｐを射出し、キャビティ２１内に充満した溶融樹脂Ｐが硬化するのを待って外金型２０を型開きし、成形品、マンドレル１０及びブロック型３０を外金型２０から取り出す。次いで、マンドレル１０からブロック型３０を取り外す。このとき、外金型２０から取り出された成形品が冷えて僅かに収縮するため、端子ピン１２が成形品の収縮方向に移動し、この端子ピン１２の移動に伴ってブロック型３０の支持孔３２部分が移動する。したがって、ロックピン３４も、その先端部が嵌合部材１４に嵌合した状態のまま移動するが、嵌合部材１４が位置決め溝１３内に移動可能に収納されているため、ロックピン３４は嵌合部材１４を伴って移動することになる。
【００１５】
ここで、嵌合部材１４がマンドレル１０に固定された状態になっていると、ロックピン３４は、先端が嵌合部材１４に嵌合しているために移動することができず、外部側が支持孔３２部分と共に移動するような状態になるため、ロックピン３４の軸線と嵌合孔１７の軸線とが傾いた状態になってしまう。このように、ロックピン３４が傾いてしまうと、その傾斜角度が僅かなものであっても、ロックピン３４を嵌合孔１７から抜き取る際に、両者の接触部がかじってしまうために非常に大きな力が必要となり、抜取り機に過大な負荷を与えるなど、作業性に多大な影響を及ぼすことになる。
【００１６】
したがって、前述のように、嵌合部材１４がロックピン３４と共に移動できるように形成したことにより、嵌合孔１７からのロックピン３４の抜き取りを軽い力で容易に行うことができるので、マンドレル１０からのブロック型３０の取り外しを簡単に行うことができる。
【００１７】
ロックピン３４の抜き取りは、ピン３６を押し込んでボール３８を凹部３９に収容可能な状態にして行う。そして、ロックピン３４を抜き取った後の嵌合部材１４は、スプリング１６の作用によって所定の位置に戻される。このようにしてマンドレル１０からブロック型３０を取り外し、端子ピン１２から端子保持型３１を取り外した後、成形品内からマンドレル１０を抜き取ることにより、所定形状の電気融着継手が得られる。
【００１８】
このように、端子ピン１２を装着した端子保持型３１を外金型の係止孔に嵌着せずに、ブロック型３０の支持孔３２に挿入するため、端子保持型３１のセッティングが容易となり、また、嵌合部材１４を移動可能としたことにより、ロックピン３４の抜き取りも容易に行うことができる。
【００１９】
なお、本形態例では、電気融着継手として管端キャップを例示したが、通常のソケット継手やエルボ継手、異径継手、チーズ、サドル継手等の各種電気融着継手を製造する場合にも適用することができる。また、端子保持型をブロック型と一体に設けておき、該端子保持型に端子ピンを装着するようにしてもよい。
【００２０】
【発明の効果】
以上説明したように、本発明によれば、端子ピンのセッティングを容易に行えるとともに、ロックピンの抜き取りも容易に行えるので、電気融着継手の成形サイクルを大幅に短縮することができ、生産性の向上が図れる。
【図面の簡単な説明】
【図１】  電気融着継手の成形金型の一形態例を示す断面正面図である。
【図２】  同じく要部の拡大断面正面図である。
【図３】  同じく要部の拡大断面側面図である。
【符号の説明】
１０…マンドレル、１１…電熱線、１２…端子ピン、１３…位置決め溝、１４…嵌合部材、１５…押さえ板、１６…スプリング、１７…嵌合孔、２０…外金型、２１…キャビティ、２２…窪み、３０…ブロック型、３１…端子保持型、３２…支持孔、３３…位置決め突起、３４…ロックピン、３５…外筒、３６…ピン、３７…スプリング、３８…ボール、３９…凹部、Ｐ…溶融樹脂
【図１】
0003732973.tif 000002
【図２】
0003732973.tif 000003
【図３】
0003732973.tif 000004